【手続補正書】
【提出日】平成15年8月1日(2003.8.1)
【手続補正１】
【補正対象書類名】明細書
【補正対象項目名】発明の名称
【補正方法】変更
【補正の内容】
【発明の名称】配信管理システム


【手続補正２】
【補正対象書類名】明細書
【補正対象項目名】特許請求の範囲
【補正方法】変更
【補正の内容】
【特許請求の範囲】
【請求項１】
発注装置と通信回線で接続された配信管理システムであって、前記発注装置からオンラインでデジタルコンテンツおよび記憶媒体の指定を含む注文情報を受信し、指定されたデジタルコンテンツを指定された記憶媒体に格納した場合の記憶媒体の数量を計算し、前記記憶媒体の数量が単数なら指定されたデジタルコンテンツを分割しないで指定された記憶媒体に格納し、前記記憶媒体の数量が複数なら指定されたデジタルコンテンツを分割して複数の指定された記憶媒体にそれぞれ格納することを特徴とする配信管理システム。
【請求項２】
請求項１に記載の配信管理システムにおいて、前記注文情報には、前記記憶媒体の指定として、記憶媒体の物理的構造による種別とデータ形式による種別の組み合わせ情報が含まれることを特徴とする配信管理システム。
【請求項３】
請求項１または請求項２に記載の配信管理システムにおいて、デジタルコンテンツを分割して記憶媒体にそれぞれ格納する場合、デジタルコンテンツが独立して再生可能なパートに分かれており且つ各パートの容量が記憶媒体の単位容量より小さいなら、デジタルコンテンツをパートで分割することを特徴とする配信管理システム。
【請求項４】
発注装置と通信回線で接続された配信管理システムであって、デジタルコンテンツを多数蓄積しているデジタルコンテンツデータベースと、一部のデジタルコンテンツを格納しておいて高速読み出しを図るためのデジタルコンテンツキャッシュと、前記発注装置からオンラインで注文情報を受け付ける注文情報受付部と、前記注文情報で指定されたデジタルコンテンツを配信するために前記デジタルコンテンツキャッシュから前記注文情報で指定されたデジタルコンテンツを読み出すと共に、キャッシュミスした場合は、所定期間における読み出し回数が最も少なく且つ最後に読み出された日時が最も古いデジタルコンテンツから順にデジタルコンテンツキャッシュより削除して行き、指定されたデジタルコンテンツを格納できるように削除したならば、指定されたデジタルコンテンツを前記デジタルコンテンツデータベースから読み出して前記デジタルコンテンツキャッシュに格納するデジタルコンテンツ管理部とを具備したことを特徴とする配信管理システム。
【手続補正３】
【補正対象書類名】明細書
【補正対象項目名】０００１
【補正方法】変更
【補正の内容】
【０００１】
【発明の属する技術分野】
この発明は、配信管理システム（装置）に関し、特にパッケージ販売されていない電子書籍や画像データなどのデジタルコンテンツの注文をオンラインで受けて配信する配信管理システムに関する。


【手続補正４】
【補正対象書類名】明細書
【補正対象項目名】０００３
【補正方法】変更
【補正の内容】
【０００３】
【発明が解決しようとする課題】
上記従来のキオスク端末でデジタルコンテンツを記憶媒体に書き込むシステムでは、書き込み可能な記憶媒体が制限される問題点がある。これを解決するためには、多種類の書き込み装置をキオスク端末に設ければよいが、キオスク端末は設置数が非常に多いこと及び狭い店舗で占有空間も限られることから、実現不可能である。
そこで、この発明の第１の目的は、発注者が希望する記憶媒体にデジタルコンテンツを書き込んで配信可能な配信管理システムを提供することにある。


【手続補正５】
【補正対象書類名】明細書
【補正対象項目名】０００４
【補正方法】変更
【補正の内容】
【０００４】
また、動画データのような大容量のデジタルコンテンツは伝送時間が非常に長くかかるために、オンライン配信しにくい問題点がある。
そこで、この発明の第２の目的は、動画データのような大容量のデジタルコンテンツでも好適に配信できる配信管理システムを提供することにある。


【手続補正６】
【補正対象書類名】明細書
【補正対象項目名】０００５
【補正方法】変更
【補正の内容】
【０００５】
さらに、この発明の第３の目的は、デジタルコンテンツに最適化したキャッシュリプレースメント方式を有する配信管理システムを提供することにある。


【手続補正７】
【補正対象書類名】明細書
【補正対象項目名】０００６
【補正方法】変更
【補正の内容】
【０００６】
【課題を解決するための手段】
第１の観点では、この発明は、発注装置と通信回線で接続された配信管理システムであって、前記発注装置からオンラインでデジタルコンテンツおよび記憶媒体の指定を含む注文情報を受信し、指定されたデジタルコンテンツを指定された記憶媒体に格納した場合の記憶媒体の数量を計算し、前記記憶媒体の数量が単数なら指定されたデジタルコンテンツを分割しないで指定された記憶媒体に格納し、前記記憶媒体の数量が複数なら指定されたデジタルコンテンツを分割して複数の指定された記憶媒体にそれぞれ格納することを特徴とする配信管理システムを提供する。
上記第１の観点による配信管理システムでは、多様な記憶媒体に書き込み可能なドライブ装置を、例えば設置数が非常に多いキオスク端末のような発注装置毎に設けるのではなく、１箇所またはせいぜい数箇所の配信管理システムに設けるので、発注者が指定した記憶媒体にデジタルコンテンツを書き込み可能なシステムを容易に実現可能となる。また、指定されたデジタルコンテンツを格納した記憶媒体をオフラインで配送できるので、動画データのような大容量のデジタルコンテンツでも配信しやすくなる。


【手続補正８】
【補正対象書類名】明細書
【補正対象項目名】０００７
【補正方法】変更
【補正の内容】
【０００７】
また、大容量のデジタルコンテンツなら分割して複数の記憶媒体に格納するので、動画データのような大容量のデジタルコンテンツでも単位容量（１枚当たりや１巻当たりに書き込みうるデータ量）の小さい記憶媒体に格納して配信できる。
【手続補正９】
【補正対象書類名】明細書
【補正対象項目名】０００８
【補正方法】変更
【補正の内容】
【０００８】
第２の観点では、この発明は、上記構成の配信管理システムにおいて、前記注文情報には、前記記憶媒体の指定として、記憶媒体の物理的構造による種別とデータ形式による種別の組み合わせ情報が含まれることを特徴とする配信管理システムを提供する。
デジタルコンテンツの容量は、データ形式により変化する。例えば、同じデジタルコンテンツでも、ＡＶＩ形式では容量が大きくなるが、ＭＰＥＧ−１形式ならば容量が小さくなる。従って、デジタルコンテンツを書き込む記憶媒体の数量は、データ形式によって変化する。
上記第２の観点によるデジタルコンテンツ販売システムでは、ＣＤ−Ｒ（６５０ＭＢ），ＣＤ−Ｒ（７００ＭＢ），ＭＯ（２３０ＭＢ），ＭＯ（６５０ＭＢ），ＤＶＤ−ＲＡＭ（４.７ＧＢ）のような物理的構造による種別とＷＡＶ，ＭＰ３，ＴＸＴ，ＨＴＭＬ，ＭＰＥＧ−１，ＭＰＥＧ−２のようなデータ形式による種別の組合せにより記憶媒体を指定できるので、デジタルコンテンツを書き込む記憶媒体の数量を適正に計算することが出来る。


【手続補正１０】
【補正対象書類名】明細書
【補正対象項目名】０００９
【補正方法】変更
【補正の内容】
【０００９】
第３の観点では、この発明は、上記構成の配信管理システムにおいて、デジタルコンテンツを分割して記憶媒体にそれぞれ格納する場合、デジタルコンテンツが独立して再生可能なパートに分かれており且つ各パートの容量が記憶媒体の単位容量より小さいなら、デジタルコンテンツをパートで分割することを特徴とする配信管理システムを提供する。
デジタルコンテンツが例えば複数の楽章やチャプターなどのパートに元々分かれており且つ各パートごとに独立して再生可能である場合がある。
上記第３の観点によるデジタルコンテンツ販売システムでは、上記のような場合には、パートを単位としてデジタルコンテンツを分割する。よって、分割ファイルを結合しなくても、各記憶媒体ごとに独立してパートを再生可能となる。


【手続補正１１】
【補正対象書類名】明細書
【補正対象項目名】００１０
【補正方法】変更
【補正の内容】
【００１０】
第４の観点では、この発明は、発注装置と通信回線で接続された配信管理システムであって、デジタルコンテンツを多数蓄積しているデジタルコンテンツデータベースと、一部のデジタルコンテンツを格納しておいて高速読み出しを図るためのデジタルコンテンツキャッシュと、前記発注装置からオンラインで注文情報を受け付ける注文情報受付部と、前記注文情報で指定されたデジタルコンテンツを配信するために前記デジタルコンテンツキャッシュから前記注文情報で指定されたデジタルコンテンツを読み出すと共に、キャッシュミスした場合は、所定期間における読み出し回数が最も少なく且つ最後に読み出された日時が最も古いデジタルコンテンツから順にデジタルコンテンツキャッシュより削除して行き、指定されたデジタルコンテンツを格納できるように削除したならば、指定されたデジタルコンテンツを前記デジタルコンテンツデータベースから読み出して前記デジタルコンテンツキャッシュに格納するデジタルコンテンツ管理部とを具備したことを特徴とする配信管理システムを提供する。
コンピュータシステムにおけるキャッシュリプレースメント方式として、最後に読み出された日時が最も古いデータをキャッシュより削除して新たなデータを格納するＬＲＵ（least recently used）方式がある。このＬＲＵ方式は、短期的に発注が集中するデジタルコンテンツには適当である。しかし、短期的には発注が少ないが長期的には売れ続けるようなデジタルコンテンツには適当でない。なぜなら、このようなデジタルコンテンツは、注文間隔があくために最後に読み出された日時が最も古いものと見なされて削除されやすいが、削除された直後くらいに次の注文が来るからである。
そこで、上記第４の観点によるデジタルコンテンツ販売システムでは、ＬＲＵ方式の条件に加えて、「所定期間における読み出し回数が最も少ないデジタルコンテンツ」をデジタルコンテンツキャッシュより削除するように、キャッシュリプレースメント方式をデジタルコンテンツに最適化した。これにより、短期的には発注が少ないが長期的には売れ続けるようなデジタルコンテンツは、所定期間（例えば過去２４ヶ月間）で見れば読み出し回数が多いため、削除を回避でき、次の注文時にヒットし、デジタルコンテンツキャッシュから読み出すことで高速化を図れるようになる。


【手続補正１２】
【補正対象書類名】明細書
【補正対象項目名】００１１
【補正方法】変更
【補正の内容】
【００１１】
【発明の実施の形態】
以下、この発明の実施の形態について図面を参照して説明する。なお、これによりこの発明が限定されるものではない。
図１は、この発明の一実施形態に係る配信管理システムを含むデジタルコンテンツ販売システムの全体構成図である。
このデジタルコンテンツ販売システム１００は、鉄道の売店やコンビニエンスストアなど多数の場所に設置された発注装置１と、それらの発注装置１と電話回線などの公衆網２で接続された配信管理システム３とを具備してなる。


【手続補正１３】
【補正対象書類名】明細書
【補正対象項目名】００２８
【補正方法】変更
【補正の内容】
【００２８】
【発明の効果】
この発明の配信管理システムによれば、発注者が希望する記憶媒体にデジタルコンテンツを書き込んで配信可能になる。また、動画データのような大容量のデジタルコンテンツでも好適に配信できる。さらに、デジタルコンテンツに最適化したキャッシュリプレースメント方式によりキャッシュ効率を向上することが出来る。